(57)【要約】【課題】  機構の簡素化を確保した上で使い勝手の向上を図る。【解決手段】  接続カード１００、２００が挿入される挿入口２ａと、接続カードの端子電極１０５、１０５、・・・、２０５、２０５、・・・がそれぞれ接続される複数の接続端子８、８、・・・と、接続カードの厚み方向における一方の面１０１ｂ、２０１ｂが押し付けられる基準面部４と、接続カードの厚み方向における他方の面１０１ａ、２０１ａに押し付けられる厚み側押付面部９ａと、該厚み側押付面部を基準面部側に付勢する厚み側付勢手段９ｂ、９ｂとを設けた。【選択図】        図５
2005228052.tif 000002
【特許請求の範囲】
【請求項１】
挿入方向における端部に複数の端子電極が配列された接続カードが装着される接続カード装着装置であって、
接続カードが挿入される挿入口と、
接続カードの端子電極がそれぞれ接続される複数の接続端子と、
接続カードの厚み方向における一方の面が押し付けられる基準面部と、
接続カードの厚み方向における他方の面に押し付けられる厚み側押付面部と、
該厚み側押付面部を基準面部側に付勢する厚み側付勢手段とを備えた
ことを特徴とする接続カード装着装置。
【請求項２】
接続カードの厚み方向及び挿入方向にともに直交する方向である幅方向における両面にそれぞれ押し付けられる１対の幅側押付面部と、
該１対の幅側押付面部を互いに近付く方向へ付勢する幅側付勢手段と、
接続端子に対して接続カードの幅方向における端子電極の位置決めを行う位置決め手段とを設けた
ことを特徴とする請求項１に記載の接続カード装着装置。
【請求項３】
上記厚み側押付面部に連続して、挿入口から挿入される接続カードを接続端子側へ案内する案内面部を設けた
ことを特徴とする請求項１に記載の接続カード装着装置。
【請求項４】
上記幅側押付面部に連続して、挿入口から挿入される接続カードを接続端子側へ案内する案内面部を設けた
ことを特徴とする請求項２に記載の接続カード装着装置。
【請求項５】
上記厚み側押付面部と厚み側付勢手段とを一体に形成した
ことを特徴とする請求項１に記載の接続カード装着装置。
【請求項６】
上記幅側押付面部と幅側付勢手段とを一体に形成した
ことを特徴とする請求項２に記載の接続カード装着装置。
【請求項７】
挿入方向における端部に複数の端子電極が配列された接続カードが装着される接続カード装着装置であって、
接続カードが挿入される挿入口と、
接続カードの端子電極がそれぞれ接続される複数の接続端子と、
接続カードの厚み方向及び挿入方向にともに直交する方向である幅方向における両面にそれぞれ押し付けられる１対の幅側押付面部と、
該１対の幅側押付面部を互いに近付く方向へ付勢する幅側付勢手段と、
接続端子に対して接続カードの幅方向における端子電極の位置決めを行う位置決め手段とを備えた
ことを特徴とする接続カード装着装置。
【請求項８】
接続カードの厚み方向における一方の面が押し付けられる基準面部と、
接続カードの厚み方向における他方の面に押し付けられる厚み側押付面部と、
該厚み側押付面部を基準面部側に付勢する厚み側付勢手段とを設けた
ことを特徴とする請求項７に記載の接続カード装着装置。
【請求項９】
上記幅側押付面部に連続して、挿入口から挿入される接続カードを接続端子側へ案内する案内面部を設けた
ことを特徴とする請求項７に記載の接続カード装着装置。
【請求項１０】
上記厚み側押付面部に連続して、挿入口から挿入される接続カードを接続端子側へ案内する案内面部を設けた
ことを特徴とする請求項８に記載の接続カード装着装置。
【請求項１１】
上記幅側押付面部と幅側付勢手段とを一体に形成した
ことを特徴とする請求項７に記載の接続カード装着装置。
【請求項１２】
上記厚み側押付面部と厚み側付勢手段とを一体に形成した
ことを特徴とする請求項８に記載の接続カード装着装置。
【発明の詳細な説明】
【技術分野】
【０００１】
本発明は接続カード装着装置に関する。詳しくは、外形寸法が相違する複数の接続カードを装着可能とし、機構の簡素化を確保した上で使い勝手の向上を図る技術分野に関する。
【背景技術】
【０００２】
接続カードとして、例えば、半導体メモリーが内蔵されデーターの記録が可能なメモリーカードや電子機器に装着されて該電子機器の機能を拡張するための機能拡張用カード等が存在する。
【０００３】
このような接続カードは、例えば、パーソナルコンピューター、情報端末装置等に設けられた挿入スロットや専用のカード接続装置等の挿入口から挿入され、例えば、接続カード装着装置に設けられたカードコネクターに装着される（例えば、特許文献１参照）。
【０００４】
接続カードが接続カード装着装置の挿入口から挿入されると、接続カードに設けられた１対の挿入ガイド部にそれぞれ接続カードの両側面が案内され、接続カードの各端子電極がカードコネクターの各接続端子に接続されて接続カードがカードコネクターに装着される。
【０００５】
【特許文献１】特開２０００−１５００７８号公報
【発明の開示】
【発明が解決しようとする課題】
【０００６】
ところで、接続カードには、例えば、記録容量や形状、大きさ等の相違により種々のタイプが存在するが、使い勝手の向上等を図るために、外形寸法が相違する接続カードの装着が可能とされた接続カード装着装置がある。
【０００７】
このような接続カード装着装置としては、例えば、外形寸法が相違する２つの接続カードに対して共通の接続端子を有し、外形寸法が小さな接続カードにアダプターを装着し、見かけ上、外形寸法が小さな接続カードを外形寸法が大きな接続カードと同じサイズにすることにより、何れの接続カードをも共通の接続端子に接続して使用できるようにしたものがある。
【０００８】
ところが、上記のようにアダプターを用いた場合には、外形寸法が小さな接続カードを使用するときに、その都度アダプターの装着が必要であり、使い勝手が悪いという問題がある。
【０００９】
一方、外形寸法が相違する２つの接続カードの使用を可能とするために、内部に、外形寸法が大きな接続カードを挿入する第１の挿入経路と外形寸法が小さな接続カードを挿入する第２の挿入経路とを形成し、挿入口から挿入され第１の挿入経路を通った外形寸法が大きな接続カードの端子電極が第１の接続端子に接続され、同じ挿入口から挿入され第２の挿入経路を通った外形寸法が小さな接続カードの端子電極が第２の接続端子に接続されようにすることが考えられる。
【００１０】
しかしながら、この場合には、第１の経路と第２の経路を形成する必要がある上に、第１の端子電極と第２の端子電極とを配置する必要があるため、接続カード装着装置の大型化及び部品点数の増加を来たしてしまう。また、外形寸法の相違によって接続カードを第１の挿入経路又は第２の挿入経路に誘導するための誘導機構も必要となり、接続カード装着装置の大型化及び部品点数の増加に加え、機構の複雑化を来たすことになる。
【００１１】
そこで、本発明接続カード装着装置は、機構の簡素化を確保した上で使い勝手の向上を図ることを課題とする。
【課題を解決するための手段】
【００１２】
本発明接続カード装着装置は、上記した課題を解決するために、接続カードが挿入される挿入口と、接続カードの端子電極がそれぞれ接続される複数の接続端子と、接続カードの厚み方向における一方の面が押し付けられる基準面部と、接続カードの厚み方向における他方の面に押し付けられる厚み側押付面部と、該厚み側押付面部を基準面部側に付勢する厚み側付勢手段とを設けたものである。
【００１３】
従って、本発明接続カード装着装置にあっては、接続カードが、厚み方向における他方の面に厚み側押付面部が押し付けられて厚み方向における一方の面が基準面部に押し付けられる。
【００１４】
別の本発明接続カード装着装置は、上記した課題を解決するために、接続カードが挿入される挿入口と、接続カードの端子電極がそれぞれ接続される複数の接続端子と、接続カードの厚み方向及び挿入方向にともに直交する方向である幅方向における両面にそれぞれ押し付けられる１対の幅側押付面部と、該１対の幅側押付面部を互いに近付く方向へ付勢する幅側付勢手段と、接続端子に対して接続カードの幅方向における端子電極の位置決めを行う位置決め手段とを設けたものである。
【００１５】
従って、別の本発明接続カード装着装置にあっては、接続カードが、接続端子に対して幅方向における端子電極の位置決めが行われた状態で、幅方向における両面に幅側押付面部が押し付けられる。
【発明の効果】
【００１６】
本発明接続カード装着装置は、挿入方向における端部に複数の端子電極が配列された接続カードが装着される接続カード装着装置であって、接続カードが挿入される挿入口と、接続カードの端子電極がそれぞれ接続される複数の接続端子と、接続カードの厚み方向における一方の面が押し付けられる基準面部と、接続カードの厚み方向における他方の面に押し付けられる厚み側押付面部と、該厚み側押付面部を基準面部側に付勢する厚み側付勢手段とを備えたことを特徴とする。
【００１７】
従って、厚みの小さな接続カードにアダプターを装着することなく厚みの相違する複数の接続カードを接続カード装着装置に装着することができ、使い勝手の向上を図ることができる。
【００１８】
また、同じ経路を通って挿入された複数の接続カードが共通の接続端子に接続されるため、部品点数の削減及び機構の簡素化を図った上で使い勝手の向上を図ることができる。
【００１９】
請求項２に記載した発明にあっては、接続カードの厚み方向及び挿入方向にともに直交する方向である幅方向における両面にそれぞれ押し付けられる１対の幅側押付面部と、該１対の幅側押付面部を互いに近付く方向へ付勢する幅側付勢手段と、接続端子に対して接続カードの幅方向における端子電極の位置決めを行う位置決め手段とを設けたので、幅の小さな接続カードにアダプターを装着することなく幅の相違する複数の接続カードを接続カード装着装置に装着することができ、使い勝手の向上を図ることができる。
【００２０】
請求項３に記載した発明にあっては、上記厚み側押付面部に連続して、挿入口から挿入される接続カードを接続端子側へ案内する案内面部を設けたので、接続カードを接続端子側へ確実に誘導することができる。
【００２１】
請求項４に記載した発明にあっては、上記幅側押付面部に連続して、挿入口から挿入される接続カードを接続端子側へ案内する案内面部を設けたので、接続カードを接続端子側へ確実に誘導することができる。
【００２２】
請求項５に記載した発明にあっては、上記厚み側押付面部と厚み側付勢手段とを一体に形成したので、部品点数の削減を図ることができる。
【００２３】
請求項６に記載した発明にあっては、上記幅側押付面部と幅側付勢手段とを一体に形成したので、部品点数の削減を図ることができる。
【００２４】
別の本発明接続カード装着装置は、挿入方向における端部に複数の端子電極が配列された接続カードが装着される接続カード装着装置であって、接続カードが挿入される挿入口と、接続カードの端子電極がそれぞれ接続される複数の接続端子と、接続カードの厚み方向及び挿入方向にともに直交する方向である幅方向における両面にそれぞれ押し付けられる１対の幅側押付面部と、該１対の幅側押付面部を互いに近付く方向へ付勢する幅側付勢手段と、接続端子に対して接続カードの幅方向における端子電極の位置決めを行う位置決め手段とを備えたことを特徴とする。
【００２５】
従って、幅の小さな接続カードにアダプターを装着することなく幅の相違する複数の接続カードを接続カード装着装置に装着することができ、使い勝手の向上を図ることができる。
【００２６】
また、同じ経路を通って挿入された複数の接続カードが共通の接続端子に接続されるため、部品点数の削減及び機構の簡素化を図った上で使い勝手の向上を図ることができる。
【００２７】
請求項８に記載した発明にあっては、接続カードの厚み方向における一方の面が押し付けられる基準面部と、接続カードの厚み方向における他方の面に押し付けられる厚み側押付面部と、該厚み側押付面部を基準面部側に付勢する厚み側付勢手段とを設けたので、厚みの小さな接続カードにアダプターを装着することなく厚みの相違する複数の接続カードを接続カード装着装置に装着することができ、使い勝手の向上を図ることができる。
【００２８】
請求項９に記載した発明にあっては、上記幅側押付面部に連続して、挿入口から挿入される接続カードを接続端子側へ案内する案内面部を設けたので、接続カードを接続端子側へ確実に誘導することができる。
【００２９】
請求項１０に記載した発明にあっては、上記厚み側押付面部に連続して、挿入口から挿入される接続カードを接続端子側へ案内する案内面部を設けたので、接続カードを接続端子側へ確実に誘導することができる。
【００３０】
請求項１１に記載した発明にあっては、上記幅側押付面部と幅側付勢手段とを一体に形成したので、部品点数の削減を図ることができる。
【００３１】
請求項１２に記載した発明にあっては、上記厚み側押付面部と厚み側付勢手段とを一体に形成したので、部品点数の削減を図ることができる。
【発明を実施するための最良の形態】
【００３２】
以下に、本発明接続カード装着装置を実施するための最良の形態を添付図面に従って説明する。以下に示す最良の形態は、本発明接続カード装着装置を、例えば、パーソナルコンピューター等の情報処理機器に接続されて、装着された接続カードと情報処理機器との間でデーターの授受を行うため等に用いられる接続カード装着装置に適用したものである。
【００３３】
尚、本発明の適用範囲は、このような接続カード装着装置に限られることはなく、本発明は、各種の電子機器、例えば、パーソナルコンピューター等の情報処理機器、電話器やファクシミリ等に代表される通信用装置、ＰＤＡ（Personal Digital Assistant）等の情報端末装置、スチルカメラや電子カメラやビデオカメラ等の撮像装置、テレビやラジオ等の視聴用の機器、ディスク状記録媒体やテープカセット等の各種の記録媒体を扱う記録再生用の機器や音響機器等に設けられ接続カードが挿入されて装着される接続カード装着装置等にも広く適用することができる。
【００３４】
先ず、接続カード装着装置に挿入されて装着される接続カードについて説明する（図１乃至図３参照）。
【００３５】
尚、接続カードとしては、例えば、半導体メモリーが内蔵されデーターの記録が可能なメモリーカードや電子機器に装着されて該電子機器の機能を拡張するための機能拡張用カード等が用いられる。機能拡張用カードには、例えば、ＰＤＡ等の情報端末装置に装着され、ＰＤＡにカメラ機能、ナビゲーション機能、通信機能等を付加するカードが存在する。
【００３６】
接続カード装着装置には、外形寸法、即ち、長さ、幅及び厚みがそれぞれ相違する、例えば、２種類の第１の接続カード１００（図１参照）と第２の接続カード２００（図２参照）が装着される。第１の接続カード１００と第２の接続カード２００の長さは接続カード装着装置に挿入される方向における寸法である。
【００３７】
第１の接続カード１００は板状の略矩形状を為し、例えば、長さＬ１が５０ｍｍ、幅Ｈ１が２１．５ｍｍ、厚さＴ１が２．８ｍｍとされている（図１参照）。
【００３８】
第１の接続カード１００は筐体１０１にフラッシュメモリー等の半導体メモリーが内蔵されており、筐体１０１は最大の面積を有する第１の主面１０１ａと該第１の主面１０１ａの反対側の面である第２の主面１０１ｂとを有している。
【００３９】
第１の主面１０１ａの長手方向（前後方向）における一端部に電極部１０２が設けられている。電極部１０２には、第１の主面１０１ａの幅方向（左右方向）に離隔して等間隔に設けられた複数の仕切壁１０３、１０３、・・・によって１０個の接続用凹部１０４、１０４、・・・が形成されている。接続用凹部１０４、１０４、・・・は第１の主面１０１ａの長手方向における一方（後方）及び第１の接続カード１００の厚み方向（上下方向）における一方（上方）に開口され、接続用凹部１０４、１０４、・・・にはそれぞれ端子電極１０５、１０５、・・・が配置されている。
【００４０】
第１の接続カード１００の電極部１０２に隣接する一方の側部は上方に開口された切欠部１０６として設けられ、該切欠部１０６の外縁が略円弧状を為す面取り部１０７として形成されている。
【００４１】
第１の主面１０１ａの電極部１０２の近傍には、誤記録防止摘子１０８がスライド自在に設けられている。誤記録防止摘子１０８は、一方にスライドさせた状態において半導体メモリーへのデーターの書き込みを可能とし、他方にスライドさせた状態において半導体メモリーへのデーターの書き込みを不能とする機能を有する。
【００４２】
第２の接続カード２００は略矩形状を為し、例えば、長さＬ２が３１ｍｍ、幅Ｈ２が２０ｍｍ、厚さＴ２が１．６ｍｍとされ、第１の接続カード１００よりも小さく形成されている（図２参照）。
【００４３】
第２の接続カード２００は、第１の接続カード１００の電極部１０２と共通の電極部２０２が第１の主面２０１ａに設けられており、仕切壁２０３、２０３、・・・のピッチが第１の接続カード１００の仕切壁１０３、１０３、・・・のピッチと同じにされている。
【００４４】
第２の接続カード２００は、第１の接続カード１００と同様の各部を有しており、接続用凹部２０４、２０４、・・・にそれぞれ端子電極２０５、２０５、・・・が配置され、筐体２０１に切欠部２０６、面取り部２０７、誤記録防止摘子２０８が形成されている。
【００４５】
第２の接続カード２００は、電極部２０２の幅が第１の接続カード１００の電極部１０２の幅と同じにされており（図３に示すＨｘ）、図３に示すように、第２の接続カード２００の最も右側にある端子電極２０５の右端から筐体２０１の右側面２０１ｃまでの距離Ｄ２１は、第１の接続カード１００の最も右側にある端子電極１０５の右端から筐体１０１の右側面１０１ｃまでの距離Ｄ１１よりも僅かに小さく、第２の接続カード２００の最も左側にある端子電極２０５の左端から筐体２０１の左側面２０１ｃまでの距離Ｄ２２は、第１の接続カード１００の最も左側にある端子電極１０５の左端から筐体１０１の左側面１０１ｃまでの距離Ｄ１２よりも僅かに小さくされている。
【００４６】
第１の接続カード１００の距離Ｄ１１は第２の接続カード２００の距離Ｄ２１よりαだけ大きく、第１の接続カード１００の距離Ｄ１２も第２の接続カード２００の距離Ｄ２２より同じくαだけ大きくされている（図３参照）。
【００４７】
第１の接続カード１００の第１の主面１０１ａから端子電極１０５、１０５、・・・までの厚み方向における距離は、第２の接続カード２００の第１の主面２０１ａから端子電極２０５、２０５、・・・までの厚み方向における距離より大きくされており、第１の接続カード１００の第２の主面１０１ｂから端子電極１０５、１０５、・・・までの厚み方向における距離は、第２の接続カード２００の第２の主面２０１ｂから端子電極２０５、２０５、・・・までの厚み方向における距離と同じにされている。
【００４８】
次に、第１の接続カード１００及び第２の接続カード２００が装着される接続カード装着装置について説明する（図４乃至図６参照）。
【００４９】
接続カード装着装置１は外筐２内に所要の各部材が配置されて成る（図４参照）。
【００５０】
外筐２は上方及び前方に開口された本体３と平板状のカバー４とから成り、図４及び図５に示すように、本体３は底面部３ａと側面部３ｂ、３ｂと後面部３ｃと前面枠部３ｄとから成る。本体３の上側開口を覆うようにカバー４が取り付けられることにより外筐２が構成され、該外筐２の前面に、前面枠部３ｄとカバー４の前端部とによって囲まれた挿入口２ａが形成される（図６参照）。
【００５１】
本体３の底面部３ａには、図５に示すように、左右に離隔して上方へ突出されたガイドピン５、５が設けられ、該ガイドピン５、５間の中央部には上方へ突出された支持ピン６が設けられている。
【００５２】
カバー４は、第１の接続カード１００又は第２の接続カード２００が外筐２内に挿入されたときに、第２の主面１０１ｂ又は第２の主面２０１ｂが押し付けられる基準面部として機能する。
【００５３】
外筐２内の後端部には取付基板７が配置され、該取付基板７の後端部が後面部３ｃの外面に設けられた図示しないコネクターに接続されている。このコネクターは、例えば、パーソナルコンピューター等の情報処理機器のコネクター部に接続される。
【００５４】
取付基板７上には左右方向に等間隔に離隔して複数の接続端子８、８、・・・が配置されている。接続端子８、８、・・・は、ピッチが第１の接続カード１００及び第２の接続カード２００の端子電極１０５、１０５、・・・、２０５、２０５、・・・のピッチと同じにされている。接続端子８、８、・・・の左右方向における幅は、それぞれ端子電極１０５、１０５、・・・、２０５、２０５、・・・の左右方向における幅より小さくされている。
【００５５】
接続端子８は、取付基板７に取り付けられた前後に長い基端部８ａと、該基端部８ａの前端から折り返され基端部８ａに対して傾斜され側方から見て逆Ｖ字状を為す弾接部８ｂとから成る。弾接部８ｂは基端部８ａに対して弾性変形可能とされている。
【００５６】
外筐２の底面部３ａ上には、厚みベース９が配置されている。厚みベース９はバネ性を有する板状の材料が所定の形状に加工されて成り、上下方向を向く厚み側押付面部９ａと、該厚み側押付面部９ａの前後両端にそれぞれ連続し側方から見て外方へ凸の略半円弧状に湾曲されたバネ部９ｂ、９ｂと、該バネ部９ｂ、９ｂの厚み側押付面部９ａの反対側の端縁にそれぞれ連続した接面部９ｃ、９ｃとが一体に形成されて成り、該接面部９ｃ、９ｃが底面部３ａに接している。バネ部９ｂ、９ｂは、厚み側押付面部９ａを上方へ付勢する厚み側付勢手段として機能する。前側の接面部９ｃのうちの上側の部分は、後方へ行くに従って上方へ変位する案内面部９ｄとして形成されている。
【００５７】
厚みベース９に上方から荷重が付与されていない状態においては、厚み側押付面部９ａの上面とカバー４の下面との間の間隔が、第２の接続カード２００の厚みより僅かに小さくされている。
【００５８】
厚みベース９は、上記のように、接面部９ｃ、９ｃが底面部３ａに接触しているため、厚み側押付面部９ａに上方から荷重が付与されると、バネ部９ｂ、９ｂが弾性変形して厚み側押付面部９ａが底面部３ａに近付く方向へ移動され、厚み側押付面部９ａに対して付与されていた荷重が取り除かれると、バネ部９ｂ、９ｂが弾性復帰して厚み側押付面部９ａが底面部３ａから離隔する方向へ移動される。
【００５９】
外筐２内にはセンターリング機構１０が支持されている（図５及び図６参照）。センターリング機構１０は、接続端子８、８、・・・に対して第１の接続カード１００及び第２の接続カード２００の端子電極１０５、１０５、・・・、２０５、２０５、・・・の幅方向における位置決めを行う位置決め手段として機能し、第１のリンク１１と第２のリンク１２とから成る。第１のリンク１１と第２のリンク１２は、各長手方向における中央部が交差された状態で底面部３ａに設けられた支持ピン６に回動自在に支持されている。第１のリンク１１と第２のリンク１２の長手方向における両端部には、それぞれ上方へ突出された係合ピン１１ａ、１１ａ、１２ａ、１２ａが設けられている。
【００６０】
外筐２内の左右両端部には、それぞれ側方ベース１３、１３が支持されている。側方ベース１３は、本体３の側面部３ｂ、３ｂの内面に沿って配置されるベース面部１４と、該ベース面部１４の下縁から側方へ突出された被支持面部１５とが一体に形成されて成る。
【００６１】
ベース面部１４はバネ性を有する板状の材料が所定の形状に加工されて成り、左右方向を向く前後に長い幅側押付面部１４ａと、該幅側押付面部１４ａの前後両端にそれぞれ連続し上方から見て外方へ凸の略半円弧状に湾曲されたバネ部１４ｂ、１４ｂと、該バネ部１４ｂ、１４ｂの幅側押付面部１４ａの反対側の端縁にそれぞれ連続した接面部１４ｃ、１４ｃとが一体に形成されて成り、該接面部１４ｃ、１４ｃが側面部３ｂに接している。バネ部１４ｂ、１４ｂ、・・・は、幅側押付面部１４ａ、１４ａを互いに近付く方向へ付勢する幅側付勢手段として機能する。前側の接面部１４ｃ、１４ｃのうちの内側の部分は、それぞれ後方へ行くに従って内方へ変位する案内面部１４ｄ、１４ｄとして形成されている。
【００６２】
被支持面部１５には、前後に離隔して前後に長い係合孔１５ａ、１５ａが形成されている。被支持面部１５には、係合孔１５ａ、１５ａ間の中央の位置に、左右に長い案内孔１５ｂが形成されている。
【００６３】
被支持面部１５、１５の係合孔１５ａ、１５ａ、・・・には、それぞれ第１のリンク１１と第２のリンク１２の係合ピン１１ａ、１１ａ、１２ａ、１２ａが摺動自在に係合される。被支持面部１５、１５の案内孔１５ｂ、１５ｂには、それぞれ本体３の底面部３ａに設けられたガイドピン５、５が摺動自在に係合される。
【００６４】
側方ベース１３、１３のベース面部１４、１４に内側からの荷重が付与されていない状態においては、幅側押付面部１４ａ、１４ａの内面間の間隔は、第２の接続カード２００の幅より僅かに小さくされている。
【００６５】
上記のように、側方ベース１３、１３は、接面部１４ｃ、１４ｃ、・・・が側面部３ｂ、３ｂに接触している。従って、幅側押付面部１４ａ、１４ａにそれぞれ内方から荷重が付与されると、バネ部１４ｂ、１４ｂ、・・・が弾性変形して幅側押付面部１４ａ、１４ａがそれぞれ側面部３ｂ、３ｂに近付く方向へ移動され、幅側押付面部１４ａ、１４ａに対して付与されていた荷重が取り除かれると、バネ部１４ｂ、１４ｂ、・・・が弾性復帰して幅側押付面部１４ａ、１４ａがそれぞれ側面部３ｂ、３ｂから離隔する方向へ移動される。
【００６６】
このとき、側方ベース１３、１３は、係合孔１５ａ、１５ａ、・・・に係合ピン１１ａ、１１ａ、１２ａ、１２ａが摺動自在に係合されると共に案内孔１５ｂ、１５ｂにガイドピン５、５が摺動自在に係合されているため、第１のリンク１１と第２のリンク１２が支持ピン６を支点として回動され、側方ベース１３、１３はガイドピン５、５によって案内されて互いに離接する方向（左右）へ同期して移動され、第１のリンク１１と第２のリンク１２の係合ピン１１ａ、１１ａ、１２ａ、１２ａが係合孔１５ａ、１５ａ、・・・内を前後に移動される。
【００６７】
以下に、接続カード装着装置１の動作について説明する（図７乃至図１２参照）。尚、第１の接続カード１００及び第２の接続カード２００は、第１の主面１０１ａ、２０１ａが下方を向いた状態で、何れも電極部１０２、２０２側から挿入口２ａに挿入される。
【００６８】
先ず、第１の接続カード１００が挿入されるときの動作について説明する（図７乃至図１０参照）。
【００６９】
第１の接続カード１００が挿入口２ａに挿入されると、第１の主面１０１ａが厚みベース９の案内面部９ｄに案内され（図７参照）、側面１０１ｃ、１０１ｃが側方ベース１３、１３の案内面部１４ｄ、１４ｄに案内され（図８参照）、後方へ移動されていく。
【００７０】
第１の接続カード１００が後方へ移動されていくときには、図９に示すように、厚みベース９のバネ部９ｂ、９ｂが弾性変形されて厚み側押付面部９ａが第１の主面１０１ａに押し付けられ、第１の主面１０１ａが厚み側押付面部９ａに摺接されると共に第２の主面１０１ｂがカバー４に摺接される。従って、第１の接続カード１００は、厚み方向における位置決めが行われた状態で後方へ移動されていく。
【００７１】
同時に、第１の接続カード１００が後方へ移動されていくときには、図１０に示すように、側方ベース１３、１３のバネ部１３ｂ、１３ｂ、・・・が弾性変形されて幅側押付面部１３ａ、１３ａがそれぞれ側面１０１ｃ、１０１ｃに押し付けられ、該側面１０１ｃ、１０１ｃがそれぞれ幅側押付面部１３ａ、１３ａに摺接される。従って、第１の接続カード１００は、幅方向における位置決めが行われた状態で後方へ移動されていく。このとき側方ベース１３、１３のベース面部１４、１４は、センターリング機構１０によって支持ピン６からの左右方向における距離が同じ位置に保持され、第１の接続カード１００のセンターリングが行われる。
【００７２】
さらに第１の接続カード１００が奥側に挿入されると、待ち受けている接続端子８、８、・・・にそれぞれ端子電極１０５、１０５、・・・が接続される（図９参照）。接続端子８、８、・・・は弾性変位可能であるため、弾接部８ｂ、８ｂ、・・・が端子電極１０５、１０５、・・・に弾接され、両者の確実な接続状態が確保される。
【００７３】
第１の接続カード１００の取出は、例えば、第１の接続カード１００の挿入口２ａから前方へ突出した部分を把持して引き抜くことにより行うことができる。第１の接続カード１００を取り出すと、接続端子８、８、・・・が弾性復帰して元の状態に戻り（図７参照）、厚みベース９のバネ部９ｂ、９ｂ及び側方ベース１３、１３のバネ部１３ｂ、１３ｂ、・・・が弾性復帰して厚み側押付面部９ａ及び幅側押付面部１３ａ、１３ａが元の状態に戻る（図７及び図８参照）。
【００７４】
次に、外筐２の挿入口２ａに第２の接続カード２００が挿入されるときの動作について説明する（図１１及び図１２参照）。
【００７５】
第２の接続カード２００が挿入口２ａに挿入されると、第１の主面２０１ａが厚みベース９の案内面部９ｄに案内され、側面２０１ｃ、２０１ｃが側方ベース１３、１３の案内面部１４ｄ、１４ｄに案内され、後方へ移動されていく。
【００７６】
第２の接続カード２００が後方へ移動されていくときには、図１１に示すように、厚みベース９のバネ部９ｂ、９ｂが僅かに弾性変形されて厚み側押付面部９ａが第１の主面２０１ａに押し付けられ、第１の主面２０１ａが厚み側押付面部９ａに摺接されると共に第２の主面２０１ｂがカバー４に摺接される。従って、第２の接続カード２００は、厚み方向における位置決めが行われた状態で後方へ移動されていく。
【００７７】
同時に、第２の接続カード２００が後方へ移動されていくときには、図１２に示すように、側方ベース１３、１３のバネ部１３ｂ、１３ｂ、・・・が弾性変形されて幅側押付面部１３ａ、１３ａがそれぞれ側面２０１ｃ、２０１ｃに押し付けられ、該側面２０１ｃ、２０１ｃがそれぞれ幅側押付面部１３ａ、１３ａに摺接される。従って、第２の接続カード２００は、幅方向における位置決めが行われた状態で後方へ移動されていく。このとき側方ベース１３、１３のベース面部１４、１４は、センターリング機構１０によって支持ピン６からの左右方向における距離が同じ位置に保持され、第２の接続カード２００のセンターリングが行われる。
【００７８】
さらに第２の接続カード２００が奥側へ挿入されると、待ち受けている接続端子８、８、・・・にそれぞれ端子電極２０５、２０５、・・・が接続される（図１１参照）。接続端子８、８、・・・は弾性変位可能であるため、弾接部８ｂ、８ｂ、・・・が端子電極２０５、２０５、・・・に弾接され、両者の確実な接続状態が確保される。
【００７９】
第２の接続カード２００の取出は、例えば、第２の接続カード２００の挿入口２ａから前方へ突出した部分を把持して引き抜くことにより行ことができる。第２の接続カード２００を取り出すと、接続端子８、８、・・・が弾性復帰して元の状態に戻り（図７参照）、厚みベース９のバネ部９ｂ、９ｂ及び側方ベース１３、１３のバネ部１３ｂ、１３ｂ、・・・が弾性復帰して厚み側押付面部９ａ及び幅側押付面部１３ａ、１３ａが元の状態に戻る（図７及び図８参照）。
【００８０】
以上に記載した通り、接続カード装着装置１にあっては、第１の接続カード１００及び第２の接続カード２００の第２の主面１０１ｂ、２０１ｂが押し付けられるカバー４と、第１の主面１０１ａ、２０１ａに押し付けられる厚み側押付面部９ａとを設け、該厚み側押付面部９ａをバネ部９ｂ、９ｂによってカバー４側へ付勢しているため、厚みの小さな第２の接続カード２００にアダプターを装着することなく第１の接続カード１００及び第２の接続カード２００を接続カード装着装置１に装着することができ、使い勝手の向上を図ることができる。
【００８１】
また、接続カード装着装置１にあっては、第１の接続カード１００及び第２の接続カード２００の側面１０１ｃ、１０１ｃ、２０１ｃ、２０１ｃにそれぞれ互いに反対側から押し付けられる幅側押付面部１３ａ、１３ａを設け、該幅側押付面部１３ａ、１３ａをバネ部１３ｂ、１３ｂ、・・・によって互いに近付く側へ付勢し、接続端子８、８、・・・に対して第１の接続カード１００及び第２の接続カード２００の幅方向における端子電極１０５、１０５、・・・、２０５、２０５、・・・のセンターリングを行うセンターリング機構１０を設けているため、幅の小さな第２の接続カード２００にアダプターを装着することなく第１の接続カード１００及び第２の接続カード２００を接続カード装着装置１に装着することができ、使い勝手の向上を図ることができる。
【００８２】
さらに、同じ経路を通って挿入された第１の接続カード１００及び第２の接続カード２００が共通の接続端子８、８、・・・に接続されるため、部品点数の削減及び機構の簡素化を図った上で使い勝手の向上を図ることができる。
【００８３】
さらにまた、接続カード装着装置１にあっては、挿入口２ａから挿入される第１の接続カード１００及び第２の接続カード２００を接続端子８、８、・・・側へ案内する案内面部９ｄ、１４ｄ、１４ｄを設けているため、第１の接続カード１００及び第２の接続カード２００を接続端子８、８、・・・側へ確実に誘導することができる。
【００８４】
また、案内面部９ｄ、１４ｄ、１４ｄはそれぞれ厚みベース９又は側方ベース１３、１３に一体に形成されているため、部品点数の削減を図ることができる。
【００８５】
加えて、厚み側付勢手段として機能するバネ部９ｃ、９ｃと幅側付勢手段として機能するバネ部１４ｃ、１４ｃ、・・・とが、それぞれ厚みベース９又は側方ベース１３、１３に一体に形成されているため、部品点数の削減を図ることができる。
【００８６】
上記には、第１の接続カード１００と第２の接続カード２００の外形寸法の相違する２つの接続カードを装着する例を示したが、装着可能な接続カードの数は２つに限られることはなく、本発明は、外形寸法の相違する３つ以上の接続カードを装着する場合にも適用することが可能である。
【００８７】
尚、接続カード装着装置１にあっては、電極部の幅（図３に示すＨｘ参照）が同じであり、端子電極のピッチが同じであり、かつ、電極部の右端から筐体の右端までの距離差と電極部の左端から筐体の左端までの距離差とが同じである接続カードであれば、何れの接続カードをも装着可能である。
【００８８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８９】
【図１】図２乃至図１２と共に本発明接続カード装着装置の最良の形態を示すものであり、本図は接続カード装着装置に装着される第１の接続カードを示す拡大斜視図である。
【図２】接続カード装着装置に装着される第２の接続カードを示す拡大斜視図である。
【図３】第１の接続カードと第２の接続カードの幅の相違を示す拡大背面図である。
【図４】カバーを外した状態で示す接続カード装着装置の斜視図である。
【図５】カバーを取り除いた状態で示す接続カード装着装置の分解斜視図である。
【図６】接続カード装着装置の一部を示す拡大縦断面図である。
【図７】図８乃至図１２と共に接続カード装着装置の動作を示すものであり、本図は第１の接続カードが挿入されるときの状態を示す概略側面図である。
【図８】第１の接続カードが挿入されるときの状態を示す概略平面図である。
【図９】第１の接続カードの挿入が完了した状態を示す概略側面図である。
【図１０】第１の接続カードの挿入が完了した状態を示す概略平面図である。
【図１１】第２の接続カードの挿入が完了した状態を示す概略側面図である。
【図１２】第２の接続カードの挿入が完了した状態を示す概略平面図である。
【符号の説明】
【００９０】
１００…第１の接続カード、１０１ａ…第１の主面（他方の面）、１０１ｂ…第２の主面（一方の面）、１０５…端子電極、２００…第２の接続カード、２０１ａ…第１の主面（他方の面）、２０１ｂ…第２の主面（一方の面）、２０５…端子電極、１…接続カード装着装置、２ａ…挿入口、４…カバー（基準面部）、８…接続端子、９ａ…厚み側押付面部、９ｂ…バネ部（厚み側付勢手段）、９ｄ…案内面部、１０…センターリング機構（位置決め手段）、１４ａ…幅側押付面部、１４ｂ…バネ部（幅側付勢手段）、１４ｄ…案内面部
【図１】
2005228052.tif 000003
【図２】
2005228052.tif 000004
【図３】
2005228052.tif 000005
【図４】
2005228052.tif 000006
【図５】
2005228052.tif 000007
【図６】
2005228052.tif 000008
【図７】
2005228052.tif 000009
【図８】
2005228052.tif 000010
【図９】
2005228052.tif 000011
【図１０】
2005228052.tif 000012
【図１１】
2005228052.tif 000013
【図１２】
2005228052.tif 000014